(57)【要約】【課題】新規な書き換え可能な印刷版を提供する。【解決手段】印刷版、特に印刷スリーブまたは印刷プレートであって、印刷版支持体（１１）と、該印刷支持体（１１）上に設けられた画線部形成および消去可能なポリマー層（１２）と、を有し、ポリマー層（１２）には、光触媒処理および／または光化学処理によって画線部を形成することができ、ポリマー層（１２）の画線部は、電磁ビームの作用および／または熱の作用および／または少なくとも１つの溶剤の作用および／または研磨による除去によって消去可能になっていることを特徴とする。【選択図】図３
2007098945.tif 000002
【特許請求の範囲】
【請求項１】
印刷版、特に印刷スリーブまたは印刷プレートであって、
印刷版支持体（１１；１７）と、該印刷支持体（１１；１７）上に設けられた画線部形成および消去可能なポリマー層（１２；１８）と、を有し、
前記ポリマー層（１２；１８）には、光触媒処理および／または光化学処理によって画線部を形成することができ、
前記ポリマー層（１２；１８）の画線部は、電磁ビームの作用および／または熱の作用および／または少なくとも１つの溶剤の作用および／または研磨による除去によって消去可能になっていることを特徴とする、印刷版。
【請求項２】
請求項１に記載の印刷版において、
前記ポリマー層（１２）は、親水性すなわち含水性端部（１４）と疎水性すなわちインキを含有する端部（１５）とを有する複数の二極構造のポリマーブラシ（１３）を含み、該ポリマーブラシ（１３）は、画像データに基づいて光線を照射することよって配向することができ、それによって前記ポリマー層（１２）に画線部を形成することができるようになっていることを特徴とする、印刷版。
【請求項３】
請求項２に記載の印刷版において、
前記ポリマーブラシ（１３）は、画像データに基づいてＵＶレーザ光線を照射することによって配向することができるようになっていることを特徴とする、印刷版。
【請求項４】
請求項２または３に記載の印刷版において、
前記ポリマーブラシ（１３）は、Ｐ１／Ｐ２ＶＰ−ポリマーであることを特徴とする、印刷版。
【請求項５】
請求項２または３に記載の印刷版において、
前記ポリマーブラシ（１３）は、ポリ［スチレン−ｃｏ−２−（４−ビニルフェニル）インデン］／Ｐ２ＶＰ−ポリマーであることを特徴とする、印刷版。
【請求項６】
請求項２または３に記載の印刷版において、
前記ポリマーブラシには、超疎水性のポリマーが埋め込まれていることを特徴とする、印刷版。
【請求項７】
請求項６に記載の印刷版において、
超疎水性のポリマーは、カルボキシ末端ポリ（スチレン−ｃｏ−２、３、４、５、６−ペンタフルオロスチレン）およびカルボキシ末端ポリ（２−ビニルピリジン）から成る二極構造のポリマーブラシが埋め込まれているＰＴＦＥとして構成されていることを特徴とする、印刷版。
【請求項８】
請求項２ないし７のいずれか１項に記載の印刷版において、
前記ポリマー層（１２）の画線部は、電磁ビームの作用および／または熱の作用および／または少なくとも１つの溶剤の作用によって消去可能になっていることを特徴とする、印刷版。
【請求項９】
請求項１に記載の印刷版において、
前記ポリマー層（１８）は、超疎水性よってインキを含有する層として構成されており、前記ポリマー層（１８）は、画像データに基づくレーザ照射によってナノ構造化することができ、よって、部分的に親水性すなわち含水性の層に変換可能であることを特徴とする、印刷版。
【請求項１０】
請求項９に記載の印刷版において、
ナノ構造化されたポリマー層（１８）において、画線部が研磨による除去によって消去可能になっていることを特徴とする、印刷版。
【発明の詳細な説明】
【技術分野】
【０００１】
本発明は印刷版に関する。
【背景技術】
【０００２】
印刷版を用いて印刷する場合、印刷工程は、基本的に、一度だけ書き込み可能な印刷版か書き換え可能な印刷版のいずれかを用いるという点で区別される。書き換え可能な印刷版を用いる印刷工程は、「ＣＴＰ／ＤＩ（ダイレクトイメージング）（computer to press/direct imaging）」のキーワードで要約することができる。本発明は、書き換え可能な印刷版に関する。
【０００３】
本出願人は、「ＤＩＣＯｗｅｂ（ダイコウェブ）」という製品名のデジタル印刷機を販売している。このデジタル印刷機は、書き換えおよび消去可能な印刷版を用いる。ＤＩＣＯｗｅｂ技術による印刷版を使用する場合、印刷版支持体、好適には印刷版下地胴（Druckformgrundzylinder）に対して、画線部消去工程および画線部形成工程を行うことが好ましい。印刷版への画線部の形成に続いて、画線部が形成された印刷版の固定および調整（Konditionieren）を場合によっては行う。ＤＩＣＯｗｅｂ技術の基本的な特徴は、非特許文献１より公知となっている。
【０００４】
ＤＩＣＯｗｅｂ技術では、印刷版に画線部を形成する際に、画線部形成材料が、熱転写方法によって印刷版支持体に塗布される。この画線部形成材料は、画線部を消去するために印刷支持体から除去しなくてはならない。特に、画線部形成材料の塗布および除去は、処理技術上比較的高価であるので、印刷版の画線部形成および消去のために画線部形成材料を塗布することも除去することも必要ではない書き換えおよび消去可能な印刷版への需要がある。
【非特許文献１】ヘルムート・キップハーン（Helmut Kipphan）著「プリントメディアハンドブック（Handbuch der Printmedien）」（２０００年、シュプリンガー・フェアラーク社刊）の６７４〜６８０頁
【発明の開示】
【発明が解決しようとする課題】
【０００５】
上記に鑑みて、本発明の課題は、新規な書き換え可能な印刷版を提供することである。
【課題を解決するための手段】
【０００６】
上記課題は、請求項１に係る印刷版によって解決される。本発明の印刷版は、印刷支持体と、該印刷支持体上に設けられた画線部形成および消去可能なポリマー層と、を有し、ポリマー層には、光触媒処理および／または光化学処理によって画線部を形成することができ、ポリマー層の画線部は、電磁ビームの作用および／または熱の作用および／または少なくとも１つの溶剤の作用および／または研磨による除去によって消去可能になっている。
【０００７】
本発明による印刷版は、本発明による印刷版の印刷版支持体上に設けられた画線部形成および消去可能なポリマー層を有する。ポリマー層を光触媒によってまたは光化学的に操作することで印刷版への画線部形成が行われるので、印刷版に画線部形成材料を塗布する必要がない。これによって、先行技術と比べて、書き換えおよび消去可能な印刷版への画線部の形成を簡略化することができる。さらに、光触媒によるまたは光化学処理によって操作された画線部が形成されたポリマー層のポリマーは、再配列可能であり（reorganisierbar）、よって画線部が消去可能になっているので、画線部を消去した後、印刷版に再びまたは新たに画線部を形成することができるようになる。この場合、画線部が形成されたポリマー層の画線部を消去することは、電磁ビームおよび／または熱の作用によって行われることが好ましい。
【０００８】
本発明の好適な一態様によると、ポリマー層は、親水性すなわち含水する端部と疎水性すなわちインキを含有する端部とを有する複数の二極構造のポリマーブラシを含み、ポリマーブラシは、画像データに基づいてＵＶレーザ光線を照射することによって配向することができるようになっており、それによってポリマー層に画線部を形成することができるようになっており、ポリマー層の画線部は、電磁ビームの作用および／または熱の作用および／または少なくとも１つの溶剤の作用によって消去可能になっている。
【０００９】
本発明の好適なさらなる一態様によると、ポリマー層は、超疎水性すなわちインキを含有する層として構成されており、ポリマー層は、画像データに基づくレーザ照射によってナノ構造化することができ、よって、部分的に親水性すなわち含水する層に変換可能であり、ナノ構造化されたポリマー層の画線部は、研磨による除去によって消去可能となっている。
【００１０】
本発明の好適な実施形態は、従属請求項および以下の説明より明らかになる。以下に、本発明の実施形態を、図面を参照して詳細に説明するが、本発明はこれに限定されない。
【発明を実施するための最良の形態】
【００１１】
図１ないし図３は、本発明による書き込みおよび消去可能な印刷版１０の第１の実施形態を示している。図１ないし図３の実施形態に係る印刷版１０は、印刷版支持体１１と、印刷版支持体１１上に設けられたポリマー層１２と、を有する。
【００１２】
ポリマー層１２は、図１ないし図３に係る実施形態では、複数のポリマーブラシ１３（図２を参照せよ）によって形成されている。各ポリマーブラシ１３は、親水性または含水する端部１４と疎水性のまたはインキを含有する端部１５と、を有する。したがって、ポリマーブラシ１３は二極構造になるよう構成されており、第１の極は、親水性すなわち含水する端部１４から形成され、第２の極は、疎水性すなわちインキを含有する端部１５から形成されている。図１は、本発明に係る印刷版１０のポリマー層１２を、全ポリマーブラシ１３が同じ配向になっている状態で示している。したがって、図１の実施形態では、ポリマー層１２の外面は一貫して親水性を示すので、含水する。
【００１３】
二極構造のポリマーブラシ１３から形成されているポリマー層１２には、光触媒処理または光化学処理、すなわちポリマーブラシ１３を照射することによってポリマーブラシ１３の配向を変化させて画線部を形成することができる。したがって、図３は、ポリマー層１２を照射することで画線部が形成された印刷版１０を示している。この場合、照射された部分では、親水性または含水するポリマーブラシ１３の端部１５がポリマー層１２の外面すなわち印刷版１０の外面にくるようになる。ポリマー層１２のポリマーブラシ１３を照射することは、画像データに基づいて行われる。そのために、印刷版１０またはポリマー層１２は、印刷のためにインキを含有すべき領域において照射される。画像データに基づいてポリマー層１２を照射することは、ＵＶ光線を用いて行われることが好ましく、好適にはＵＶレーザ光線を用いて行われる。
【００１４】
照射によって画線部が形成された印刷版１０または印刷版１０のポリマー層１２の画線部を消去することもできる。画線部の消去は、電磁ビームをポリマー層１２に作用させることによって行うことが好ましい。画線部が形成されたポリマー層１２の画線部は、熱を作用させることによっても消去することができる。
【００１５】
また、画線部が形成された印刷版１０の画線部を、少なくとも１つの溶剤を作用させることによって消去することもできる。これらの複数の消去工程を組み合わせて、画線部が形成されたポリマー層１２の画線部を消去するために用いることも考えられ得る。
【００１６】
画線部を消去した後、印刷版１０は図１に示した配向状態に再び戻るので、ポリマー層１２、よってポリマーブラシ１３を画像データに基づいて照射することによって、印刷版１０に新たに画線部を形成することができるようになる。
【００１７】
二極構造のポリマーブラシ１３は、Ｐ１／Ｐ２ＶＰ−ポリマーシステムまたはポリ［スチレン−ｃｏ−２−（４−ビニルフェニル）インデン］／Ｐ２ＶＰ−ポリマーシステムであることが好ましい。このようなポリマーシステムから成るポリマーブラシは、ＵＶ光線によって照射することで良好に配向することができるので、これによってポリマー層の外面において、疎水性またはインキを含有する部分と親水性または含水する部分とを意図的につくることができる。
【００１８】
好適な一形態では、ポリマー層１３を、超疎水性ポリマーに組み込むすなわち埋め込むことができる。配向が交換可能になっている（schaltbar）ポリマーブラシを超疎水性ポリマーと組み合わせる場合、比較的小さな交換振幅で十分になるように、ＵＶ照射することでポリマーブラシの配向の交換可能性を改善し、それによって、所望の印刷版を提供するために二極構造のポリマーブラシを照射する際に意図的に配向させることができる。
【００１９】
超疎水性の支持体ポリマーは、たとえば、好適にはカルボキシ末端ポリ（スチレン−ｃｏ−２、３、４、５、６−ペンタフルオロスチレン）およびカルボキシ末端ポリ（２−ビニルピリジン）から成る二極構造のポリマーブラシが埋め込まれているＰＴＦＥ（ポリテトラフルオロエチレン）であり得る。
【００２０】
図４および図５は、本発明による書き換えおよび消去可能な印刷版の第２の実施形態を示している。この実施形態の印刷版１６もやはり、印刷版支持体１７と、印刷版支持体１７上に設けられたポリマー層１８と、を有する。図４および図５の実施形態では、ポリマー層１８は、超疎水性すなわちインキを含有するポリマー、低圧酸素プラズマでのプラズマエッチング後に超疎水性を示すようになる特にＰＴＦＥ（ポリテトラフルオロエチレン）から成る。このような超疎水性のポリマー層１８は、光触媒処理または光化学処理、特に画像データに基づいたレーザ照射によって、部分的にナノ構造化される。その結果、照射された表面付近の部分１９では、もともと超疎水性のポリマー層１８が親水性になり、よって含水する。ポリマー層１８の画線部を消去するためには、このポリマー層の外側領域を研磨によって除去すればよく、その結果、ポリマー層１８に新たに画線部を形成することができるようになる。
【００２１】
本発明によって、画線部形成材を塗布することなく印刷版に画線部を形成することができるようになる。本発明による印刷版のポリマー層には、光触媒処理または光化学処理によって、データに基づいて画線部が形成される。本発明による印刷版は、印刷スリーブまたは印刷プレートであり得る。
【図面の簡単な説明】
【００２２】
【図１】本発明による第１の実施形態に係る書き換えおよび消去可能な印刷版を画線部が消去された状態で示した図である。
【図２】図１の印刷版の詳細図である。
【図３】図１の本発明に係る印刷版を画線部が形成された状態で示した図である。
【図４】本発明による第２の実施形態に係る書き換えおよび消去可能な印刷版を画線部が消去された状態で示した図である。
【図５】図４の本発明による印刷版を画線部が形成された状態で示した図である。
【符号の説明】
【００２３】
１０  印刷版
１１  印刷版支持体
１２  ポリマー層
１３  ポリマーブラシ
１４  親水性または含水する端部
１５  疎水性またはインキを含有する端部
１６  印刷版
１７  印刷版支持体
１８  ポリマー層
１９  部分
【図１】
2007098945.tif 000003
【図２】
2007098945.tif 000004
【図３】
2007098945.tif 000005
【図４】
2007098945.tif 000006
【図５】
2007098945.tif 000007